(57)【要約】      （修正有）【課題】シーツの交換作業を簡易迅速に行うことができると共に、日々の洗濯によるシーツの縮み等により、製品寿命が短くなるのを防止する寝具を提供する。【解決手段】寝具は、シーツに、布団本体が布団カバーで内包されてなる掛け布団を組付けた状態に保持して使用する。布団カバーは、周縁部の複数箇所に締め具を具備し、シーツは、締め具の挿通部を形成する留め具を具備する。締め具は、２本の紐体の一端が布団カバーに接合され、他端のコブ部により結束された接続紐と、胴体部に連設された２つの貫通孔を有する布体であって、接続紐上を摺動自在に形成された係止具とから成る。留め具は、帯紐体の両端部がシーツに接合される。締め具と留め具は、挿通部に挿通されたコブ部が、さらに係止具よりも他端側にある２本の紐体の間に挿通された状態で、コブ部を狭持することにより締結される。【選択図】図１
0003153540.tif 000002
【実用新案登録請求の範囲】
【請求項１】
シーツに、布団本体が布団カバーで内包されてなる掛け布団を組付けた状態に保持して使用する寝具であって、
前記布団カバーは、周縁部の複数箇所に締め具を具備し、
前記シーツは、前記シーツ上に前記掛け布団を敷いた状態において、前記締め具と相対向する箇所に、前記締め具の挿通部を形成する留め具を具備し、
前記締め具は、２本の紐体の一端が前記布団カバーに接合されると共に、他端が結び目等のコブ部により結束された接続紐と、胴体部に連設された２つの貫通孔を有する布体であって、該貫通孔に前記接続紐が各々挿通されることにより、前記接続紐上を摺動自在に形成された係止具とから成り、
前記留め具は、帯紐体の両端部が前記シーツに接合されて成り、
前記締め具と前記留め具は、前記挿通部に挿通された前記コブ部が、さらに前記係止具よりも他端側にある２本の紐体の間に挿通された状態において、前記係止具を前記コブ部側に摺動させて、前記係止具と前記留め具で前記コブ部を狭持することにより締結されて成ることを特徴とする寝具。
【請求項２】
シーツが、上面に掛け布団が敷設される下布部と、前記下布部の長手方向の一側縁部及び幅方向の両側縁部において前記下布部と係合された上布部とから成り、前記上布部と前記下布部で画成された空間に掛け布団の一部が嵌合されて成ることを特徴とする請求項１記載の寝具。
【考案の詳細な説明】
【技術分野】
【０００１】
本考案は、ホテルなどの宿泊施設において使用される寝具に関する。
【背景技術】
【０００２】
従来より、ホテルなどの宿泊施設においては、毎日大量に実施する必要がある寝具の交換作業を簡易迅速に行えるように、全ての掛け布団を定型のシーツで覆うことが行われてきた。
【０００３】
この場合に、寝返りなどをしても掛け布団からシーツが剥がれないようにするため、シーツに組付け手段としてボタンや面ファスナーを設けることが一般に行われてきたが、さらに最近では、シーツの四隅に紐通しを設け、紐結びにより掛け布団と一体に組付けるようにしたシーツも使用されている（例えば、特許文献１参照）。
【特許文献１】特許第３００８１１３号公報
【考案の開示】
【考案が解決しようとする課題】
【０００４】
しかし、組付け手段としてボタンや面ファスナーを使用する場合は、紐結び等による場合と比べて、シーツと掛け布団のサイズに少しのズレが生じた場合でも、組付け不可で使用不能に陥ってしまう恐れが高いところ、毎日洗濯されるシーツが定期的に洗濯される掛け布団よりも縮んでサイズが小さくなってしまうことは避けられないことから、紐結び等による場合よりも製品寿命が短くなるという欠点があった。また、単純に、洗濯後のプレス工程において何度もローラーに通されるうちに、徐々にボタン等がつぶれてしまうという欠点もあった。
【０００５】
一方で、シーツと掛け布団を紐結びで組付ける場合は、紐結び自体が非常に手間がかかる作業であるので、毎日大量のシーツの交換作業を要する施設においては従業員の作業負担が膨大となり、作業効率も悪化するというが欠点があった。
【０００６】
そこで本考案は、シーツに掛け布団を組付けた状態に保持して使用する寝具において、シーツの交換作業を簡易迅速に行うことができると共に、日々の洗濯によるシーツの縮みや組付け手段の劣化により、製品寿命が短くなるのを防止する寝具の提供を目的とする。
【課題を解決するための手段】
【０００７】
上記目的を達成するために請求項１に記載の寝具は、シーツに、布団本体が布団カバーで内包されてなる掛け布団を組付けた状態に保持して使用する寝具であって、前記布団カバーは、周縁部の複数箇所に締め具を具備し、前記シーツは、前記シーツ上に前記掛け布団を敷いた状態において、前記締め具と相対向する箇所に、前記締め具の挿通部を形成する留め具を具備し、前記締め具は、２本の紐体の一端が前記布団カバーに接合されると共に、他端が結び目等のコブ部により結束された接続紐と、胴体部に連設された２つの貫通孔を有する布体であって、該貫通孔に前記接続紐が各々挿通されることにより、前記接続紐上を摺動自在に形成された係止具とから成り、前記留め具は、帯紐体の両端部が前記シーツに接合されて成り、前記締め具と前記留め具は、前記挿通部に挿通された前記コブ部が、さらに前記係止具よりも他端側にある２本の紐体の間に挿通された状態において、前記係止具を前記コブ部側に摺動させて、前記係止具と前記留め具で前記コブ部を狭持することにより締結されて成る。
【０００８】
さらに、上記目的を達成するために請求項２に記載の寝具は、シーツが、上面に掛け布団が敷設される下布部と、前記下布部の長手方向の一側縁部及び幅方向の両側縁部において前記下布部と係合された上布部とから成り、前記上布部と前記下布部で画成された空間に掛け布団の一部が嵌合されて成る。
【考案の効果】
【０００９】
本考案の寝具によれば、掛け布団へのシーツの組付けに紐結びのような手間のかかる作業を要しないので、シーツの交換作業を簡易迅速に行うことができると共に、組付け手段としてボタン等を使用していないため、日々の洗濯によるシーツの縮みや組付け手段の劣化により、製品寿命が短くなるのを防止することができる。
【図面の簡単な説明】
【００１０】
【図１】本考案の第一の実施形態に係る寝具全体の斜視図である。
【図２】（ａ）は図１の寝具の右上隅部にある留め具と係止具を拡大した概略斜視図であり、（ｂ）は（ａ）のＸ−Ｘ線断面図である。
【図３】図２（ａ）の留め具と係止具の組付け動作を示した説明図である。
【図４】図１の寝具の留め具を他の形態にした場合における留め具と係止具の組付け状態を示した斜視図である。
【図５】本考案の第二の実施形態に係る寝具における留め具と係止具の組付け状態を示した斜視図である。
【考案を実施するための最良の形態】
【００１１】
次に、本考案の第一の実施形態について図面を参照しながら説明する。
【００１２】
図１〜４は本考案の第一の実施形態に係り、図１は寝具全体の斜視図、図２は（ａ）は図１の寝具の右上隅部にある留め具と係止具を拡大した概略斜視図であり、（ｂ）は（ａ）のＸ−Ｘ線断面図、図３は図２（ａ）の留め具と係止具の組付け動作を示した説明図、図４は図１の寝具の留め具を他の形態にした場合における留め具と係止具の組付け状態を示した斜視図である。
【００１３】
１は本考案の寝具であり、シーツ２に、布団本体が布団カバー３で内包されてなる掛け布団が組み付けられて一体をなしている。寝具１の使用者は、寝具１全体を体の上に被せて就寝する。
【００１４】
シーツ２は、長方形に裁断した布生地を、折返し縁２ａを折り目にして長手方向に折り返して、下布部２０と上布部２１に画成すると共に、下布部２０と上布部２１の幅方向の両側縁を重畳させて重畳部２ｂを縫着することにより、下布部２０と上布部２１の間に掛け布団の一部が嵌合される空間を形成したものである。
【００１５】
シーツ２は、通常、上布部２１が設けられた側を頭部側に配置して使用するものであり、これにより、睡眠中にヨダレをこぼしても、毎日洗濯するシーツ２の上布部２１が汚れるだけで、定期的に洗濯する布団カバー３は汚れないので、寝具１全体として常に清潔な状態を保つことができる。
【００１６】
なお、シーツ２に上布部２１を設ける方法は上記のものに限られず、例えば、上布部２１用に下布部２０とは別体の布生地を準備し、下布部２０の長手方向の一側縁部及び幅方向の両側縁部を下布部２０と重畳させて重畳部２ｂを縫着する方法でも良い。
【００１７】
下布部２０の上面には、四隅近傍にそれぞれ留め具４が縫着されている。図１の留め具４は、上布部２１が設けられている側、即ち、頭部側に配設された２個については、帯紐体の短手側を二つ折りにして両端部を重畳させ、重畳部４ａを下布部２０に縫着することにより形成し、足部側に配設された２個については、帯紐体をそのまま下布部２０の縦方向に対して平行に平置きし、両端部４ｂを下布部２０に縫着することにより形成している。かかる留め具４によれば、頭部側に配設された２個については、留め具４自体がワッカを形成するので、このワッカに締め具５を挿通させることができ、足部側に配設された２個については、留め具４の中心付近を軽く引っ張り上げるだけで下布部２０との間に十分な隙間を創出できるので、かかる隙間に締め具５を挿通させることができる。
【００１８】
図１の留め具４を上記のワッカ型と平置き型の２つの態様に区分したのは、頭部側に配設された２個については、留め具４が上布部２１で覆われていて少なからず組付け作業に困難が生じることから、留め具４を上布部２１の外に引っ張り出して組付けし易くするために、縦長に引き伸ばせるワッカ型を採用したのに対し（図２（ａ）参照）、足部側に配設された２個についてはこのような問題は生じないため、留め具４の両端部４ｂをそれぞれにしっかりと下布部２０に縫着する平置き型を採用したものである。ただし、留め具４の形状ないし形成方法については、締め具５を挿通可能な空間を創出できるものであれば、特に上記の２つのタイプのものに限られない。また、ワッカ型と平置き型の区分に関しても、例えば、全部平置き型あるいはワッカ型としても良いし、同じ平置き型でも、下布部２０の縦方向ではなく横方向に対して平行に配設するなど（図４、５参照）、適宜選択することができる。
【００１９】
布団カバー３は、それ自体は、幅方向の一側面に布団本体（図示せず）を内部に挿入するための開口部３ａが設けられている公知の掛け布団カバーである。開口部３ａの開閉手段については図示は省略するが、紐やファスナーを設けるなどの公知の手段を採用することができる。
【００２０】
布団カバー３の側面には、シーツ２上に掛け布団を敷いた状態で、留め具４と組付け可能な箇所に締め具５が縫着されている。締め具５は、２つ折りにした接続紐５０の折返し端部を結束してコブ部５０ａを形成すると共に、両端部を、係止具５１の胴体部を貫通する２つの貫通孔５１ａにそれぞれ挿通させた後、布団カバー３に縫着して形成したものである。
【００２１】
係止具５１は、図２（ａ）、（ｂ）に示す通り、長方形に裁断した布体を、接続紐５０が挿通可能な程度に厚みをもたせた状態に２つ折りにして、横断面視略コの字形を形成した後、開口縁部５１ｂと、開口縁部５１ｂと折り目５１ｃの中心部５１ｄを、折り目５１ｃに対して平行に縫着することにより、横断面視略８の字形に形成したものである。これにより、係止具５１は接続紐５０上を摺動自在となっている。
【００２２】
留め具４と締め具５の組付け方法について、図３を参照しながら説明する。図３は、図１におけるシーツ２及び布団カバー３の頭部側に配設された留め具４と締め具５の組付け方法に関するものである。先ず、締め具５の先端に形成されたコブ部５０ａを、留め具４が形成するワッカに上方向から挿通し（図３（ａ）参照）、直ぐ様、今度は下方向から、係止具５１よりもコブ部５０ａ側にある２本の紐体５０の間に挿通した後に、係止具５１をコブ部５０ａ側に摺動させて、係止具５１と留め具４とでコブ部５０ａを挟持することにより組付ける（図３（ｂ）参照）。かかる方法によれば、紐結びにより組付けを行う場合と比べて、簡易な動作で迅速に組付け作業を行うことができるので、ホテルなどの毎日大量の寝具の交換を要する施設で使用するほど、全体として作業負担が軽減されると共に、作業効率は向上する。
【００２３】
なお、図１における平置き型の留め具４は、下布部２０の縦方向に対して平行に配設して、シーツ２がまだ新しくサイズが大きい時には、留め具４の長手方向のうちシーツ２の頭部側に締め具５を組付け、洗濯を繰り返してシーツ２が縮んでいくごとに、締め具５の組付け位置を留め具４の長手方向のうちシーツ２の足部側にスライドさせることにより、シーツ２の縦方向の縮みに柔軟に対応できる態様としたが、図４のように、留め具４を下布部２０の横方向（図４の矢印方向）に対して平行に配設すれば、最初は留め具４の長手方向のうちシーツ２の中心側（図４の矢印の基端側）に締め具５を組付け、シーツ２が縮んでいくごとに、締め具５の組付け位置を留め具４の長手方向のうちシーツ２の隅部側（図４の矢印の先端側）にスライドさせることにより、シーツ２の横方向に対する縮みに柔軟に対応できる態様とすることができる。
【００２４】
本実施形態の寝具１を構成する各部材の材質は、シーツ２及び留め具４はリネン製とし、布団カバー３及び締め具５は綿製としたが、肌触りや通気性など、使用時の快適性を損なうものでなく、かつ、洗濯に困難を生じないものであれば、特にこれに限定されない。ただし、シーツ２及び留め具４、並びに、布団カバー３及び締め具５については、洗濯及び洗濯後のプレスを同時処理することを考慮して、同一系統の繊維とするのが好ましい。
【００２５】
以上の通り、本考案の第一の実施形態に係る寝具１によれば、毎日洗濯され、乾燥時にプレス機のローラーに通されるシーツ２にボタン等の組付け手段を使用していないため、組付け手段がローラーでつぶされて組付けが不可になるということはなく、また、毎日の洗濯によりシーツ２が縮んでしまっても、本考案の組付け手段は、ボタン等によるものほど凹凸あるいは雌雄の組付け手段相互の場所的一致は要求されないため、製品寿命を永らえることができる。
【００２６】
次に、本考案の第二の実施形態について図面を参照しながら説明する。図５は本考案の第二の実施形態に係る寝具における留め具と係止具の組付け状態を示した斜視図である。
【００２７】
具体的には、図５は、第一の実施形態における平置き型の留め具４を、リバーシブル仕様に変更したものである。本実施形態に係る留め具４は、縦長長方形に裁断した帯紐体の長手側を２つ折りし、その内側をシーツ２の縁部の表裏面に重畳させたうえで、重畳部の両端部４ｃを縫着することにより形成したものである。これによれば、シーツ２のどちらの面を上にして使用しても、留め具４の中心付近をつまんでシーツ２から引き離す方向に引っ張るだけで、コブ部５０ａが挿通可能な空間を創出することができる。
【００２８】
また、第一の実施形態におけるワッカ型の留め具４をリバーシブル仕様とする場合は、ワッカを構成する留め具４の両端を、第一の実施形態のように下布部２０の同一面に重ねて縫着するのではなく、下布部２０の縁部を表裏で架橋させるようにして一端を表面に、他端を裏面に縫着すれば良い。なお、本実施形態において上布部２１を設けている場合は、留め具４が縫着されている場所の周囲の上布部２１に切欠き部を形成しておけば、上布部２１をシーツ２の裏面側に折り返すことにより、シーツ２を両面使用することができる。
【００２９】
本考案の第二の実施形態に係るシーツ２によれば、第一の実施形態に係るシーツ２では毎日洗濯する必要があったものを、例えば、一日毎に裏表逆にして使用することにより、寝具１全体の清潔感を保ったままでシーツ２の洗濯の回数を減らすことができるので、シーツ２が縮むスピードを遅らせることができ、これにより製品寿命を永らえることができる。
【符号の説明】
【００３０】
１      寝具
２      シーツ
３      布団カバー
４      留め具
５      締め具
２０    下布部
２１    上布部
【図１】
0003153540.tif 000003
【図２】
0003153540.tif 000004
【図３】
0003153540.tif 000005
【図４】
0003153540.tif 000006
【図５】
0003153540.tif 000007